(57)【要約】【課題】見栄えの良い毛髪を形成するための化粧料、使用方法およびそのための容器の提供。【解決手段】白色顔料、油脂、水およびポリマーを含有する第一液状化粧料を人体の毛髪に下地塗りしてその毛髪を白色に染め、次いで有色顔料、油脂、水およびポリマーを含有する第二液状化粧料をその毛髪に上塗りして所望の色に着色する。前記２つの液状化粧料が、それぞれ、前記油脂として天然油脂、シリコンワックスおよびパラフィン系炭化水素のうち少なくとも一つを含有し、前記水が１，３−ブチレングリコールを含有し、前記ポリマーとしてアクリル系ポリマーのエマルション、酢酸ビニルのエマルション、ウレタン系ポリマーのエマルション、ポリビニルアルコールおよびポリアクリル酸アンモニウム塩のうち少なくとも一つを含有し、さらに界面活性剤を含有する。【選択図】図１
2004315377.tif 000002
【特許請求の範囲】
【請求項１】
白色顔料、油脂、水およびポリマーを含有する第一液状化粧料と有色顔料、油脂、水およびポリマーを含有する第二液状化粧料から構成されることを特徴とする二液型化粧料。
【請求項２】
前記第一液状化粧料および前記第二液状化粧料が、それぞれ、前記油脂として天然油脂、シリコンワックスおよびパラフィン系炭化水素のうち少なくとも一つを含有し、前記水は１，３−ブチレングリコールを含有し、前記ポリマーとしてアクリル系ポリマーのエマルション、酢酸ビニルのエマルション、ウレタン系ポリマーのエマルション、ポリビニルアルコールおよびポリアクリル酸アンモニウム塩のうち少なくとも一つを含有し、さらに界面活性剤を含有する請求項１に記載の二液型化粧料。
【請求項３】
前記水が防腐剤としてメチルパラベンを含有する請求項１に記載の二液型化粧料。
【請求項４】
前記界面活性剤がステアリン酸とトリエタノールから構成される請求項２に記載の二液型化粧料。
【請求項５】
前記第一液状化粧料が、白色顔料として、酸化チタン、酸化亜鉛、酸化アルミニウム、マイカ、タルクおよび球状アクリルポリマーのうち少なくとも一つを含有する請求項１に記載の二液型化粧料。
【請求項６】
前記第二液状化粧料が、有色顔料として、酸化鉄および有機系染料のうちいずれか一つと粒状パールを含有する請求項１に記載の二液型化粧料。
【請求項７】
前記毛髪が人の眉毛または睫毛である請求項１に記載の二液型化粧料。
【請求項８】
請求項１に記載の二液型化粧料の使用方法であって、前記第一液状化粧料を人体の毛髪に下地塗りしてその毛髪を白色に染め、次いで前記第二液状化粧料をその毛髪に上塗りして所望の色に着色することを特徴とする二液型化粧料の使用方法。
【請求項９】
請求項１に記載の前記第一液状化粧料を収納する第一容器と請求項１に記載の前記第二液状化粧料を収納する第二容器からなり、前記２つの容器はそれぞれの底部にて接合され、前記第一容器内に保持された塗布用ブラシと前記第二容器内に保持された塗布用ブラシは互いに反対方向に保持されていることを特徴とする二液型化粧料用容器。
【発明の詳細な説明】
【０００１】
【発明の属する技術分野】
本発明は、二液型化粧料、その使用方法およびその容器に関する。
【０００２】
【従来の技術】
従来、眉毛を着色する際に、一液型の化粧料が用いられた。しかしながらこの一液型化粧料によれば、例えば、黒い眉毛を茶色に着色しようとしても、十分に使用者の満足が得られるような色合いに着色することができなかった。
【０００３】
さらに、従来の一液型化粧料では、汗をかいた場合に、着色成分が脱落するという問題があった。また、必ずしも健康上好ましくないものも出回っていた。
【０００４】
また、さらに、着色された眉毛の見栄えを良くするということも求められた。
【０００５】
【発明が解決しようとする課題】
本発明の目的は、前記した問題点を解決し、人体の毛髪を所望の色合いに着色することができる液状化粧料、その使用方法およびその容器を提供することにある。
【０００６】
【課題を解決するための手段】
従って、本発明は、白色顔料、油脂、水およびポリマーを含有する第一液状化粧料と有色顔料、油脂、水およびポリマーを含有する第二液状化粧料から構成されることを特徴とする二液型化粧料である。
【０００７】
また、本発明は、前記二液型化粧料の使用方法であって、前記第一液状化粧料を人体の毛髪に下地塗りしてその毛髪を白色に染め、次いで前記第二液状化粧料をその毛髪に上塗りして所望の色に着色することを特徴とする二液型化粧料の使用方法である。
【０００８】
さらに、本発明は、前記第一液状化粧料を収納する第一容器と前記第二液状化粧料を収納する第二容器からなり、前記２つの容器はそれぞれの底部にて接合され、前記第一容器内に保持された塗布用ブラシと前記第二容器内に保持された塗布用ブラシは互いに反対方向に保持されていることを特徴とする二液型化粧料用容器である。
【０００９】
好ましい態様を以下に示す。
【００１０】
前記第一液状化粧料および前記第二液状化粧料が、それぞれ、前記油脂として天然油脂、シリコンワックスおよびパラフィン系炭化水素のうち少なくとも一つを含有し、前記水が１，３−ブチレングリコールを含有し、前記ポリマーとしてアクリル系ポリマーのエマルション、酢酸ビニルのエマルション、ウレタン系ポリマーのエマルション、ポリビニルアルコールおよびポリアクリル酸アンモニウム塩のうち少なくとも一つを含有し、さらに界面活性剤を含有する。
【００１１】
前記水が防腐剤としてメチルパラベンを含有する。
【００１２】
前記界面活性剤がステアリン酸とトリエタノールから構成される。
【００１３】
前記第一液状化粧料が、白色顔料として、酸化チタン、酸化亜鉛、酸化アルミニウム、マイカ、タルクおよび球状アクリルポリマーのうち少なくとも一つを含有する。
【００１４】
前記第二液状化粧料が、有色顔料として、酸化鉄および有機系染料のうちいずれか一つと粒状パールを含有する。
【００１５】
前記毛髪が人の眉毛または睫毛である。
【００１６】
【発明の実施の形態】
本発明の化粧料は二液型化粧料であり、第一液状化粧料と第二液状化粧料から構成される。第一液状化粧料は主として白色顔料、油脂、水およびポリマーから構成される。第二液状化粧料は主として有色顔料、油脂、水およびポリマーから構成される。２つの化粧料は目的が異なっており、その目的に応じて各成分の添加量が異なる。
【００１７】
先ず、白色顔料について説明する。白色顔料として、酸化チタン、酸化亜鉛、酸化アルミニウム、マイカ、タルクおよび球状アクリルポリマーが挙げられる。このうち少なくとも一つが液状化粧料の成分として使用される。好ましくは酸化チタンが使用される。添加量は通常化粧料全体に対して２〜２０％であるが、第一液状化粧料では約１０％、第二液状化粧料では約１０％が好ましい。
【００１８】
油脂として、天然油脂、シリコンワックスおよびパラフィン系炭化水素が挙げられる。そのうち少なくとも一つが使用される。添加量は通常化粧料全体に対して５〜３５％である。天然油脂には、ミツロウ（ミツバチのロウ）、羊の毛から採取されるラノリンがあり、カルナウバヤシ、大豆、コーンから得られる植物性油脂も挙げられる。ここにミツロウやラノリンは高級脂肪酸や高級アルコールのエステルグリセリドの形態をとっている。ミツロウやラノリンの添加量はそれぞれ化粧料全体に対して通常約８％、約１％である。植物性油脂の添加量は化粧料全体に対して通常約８％である。
【００１９】
シリコンワックスとしては［化１］で示されるものが挙げられる。その添加量は化粧料全体に対して通常約４％である。これを添加することにより塗布された毛髪に撥水性が付与される。
【００２０】
【化１】
2004315377.tif 000003
油脂としてパラフィン系炭化水素も使用される。
【００２１】
上記した油脂の化粧料全体に占める割合は、第一液状化粧料では全体で通常約２１％になる。しかし、第二液状化粧料では油脂全体で通常約２５％であり、適宜各成分を増やして、後者の方がやや多めになるように調整する。
【００２２】
１，３−ブチレングリコールの含量は化粧料全体に対して通常約２％である。防腐剤としてメチルパラベンを化粧料全体に対して通常約０．２％添加する。この防腐剤により皮膚表面の水分中に潜んでいた菌により顔料が腐食するのを防ぐことができる。
【００２３】
水の化粧料全体に占める割合は、通常化粧料全体に対して２０〜７０％であるが、第一液状化粧料で約５５％、第二液状化粧料で約５０％であり、前者の方がやや少なめになっている。
【００２４】
ポリマーとして、アクリル系ポリマーのエマルション、酢酸ビニルのエマルション、ウレタン系ポリマーのエマルション、ポリビニルアルコールおよびポリアクリル酸アンモニウム塩が挙げられる。そのうち少なくとも一つが使用される。
【００２５】
アクリル系ポリマーは［化２］で示される。
【００２６】
【化２】
2004315377.tif 000004
ポリアクリル酸アンモニウム塩としては［化３］で示されるものがある。
【００２７】
【化３】
2004315377.tif 000005
ポリマーの化粧料全体に占める割合は、通常化粧料全体に対して５〜４０％であるが、第一液状化粧料で通常約９％、第二液状化粧料で通常約１２％であり、後者の方がやや多めになっている。なお、前者のほうに多くのポリマーを使用すると、「くし」の通りが悪くなるため、後者の方に多くのポリマーを使用する。
【００２８】
有色顔料として酸化鉄、有機系染料が挙げられる。化粧料全体に占める割合は通常２〜２０％である。酸化鉄を使用すれば茶色に着色することができる。また、有機系染料を使用すれば所望の色、例えば、緑、赤、黄等に着色することができる。
【００２９】
粒状のパールを化粧料に混入させることにより光の反射効果を出すことが出来る。
【００３０】
化粧料の中の分散状態を良くするために界面活性剤を適宜添加する。化粧料全体に対して通常１〜１０％添加する。好ましくは第一液状化粧料で約３％、第二液状化粧料で約３％添加する。図２に示すように各成分が分散した状態にある。
【００３１】
次に、図１において、本発明の化粧料で着色した毛髪の断面の状態を示す。本発明の二液型化粧料を使用する際に、先ず、前記第一液状化粧料を人体の毛髪１に下地塗りしてその毛髪を白色に染め、下地層２を形成する。この下地層２をドライヤーなどの乾燥手段により乾燥させる。次いで前記第二液状化粧料をその毛髪に上塗りして所望の色に着色し、表面層３を形成する。この表面層もドライヤーなどの乾燥手段により乾燥させる。
【００３２】
化粧料を収納するための容器は、前記第一液状化粧料を収納する第一容器と前記第二液状化粧料を収納する第二容器から構成され、前記２つの容器はそれぞれの底部にて接合され、前記第一容器内に保持された塗布用ブラシと前記第二容器内に保持された塗布用ブラシは互いに反対方向に保持されているのがよい。これにより全体として１本の容器として持ち運びできることになる。本発明の化粧料は２つの容器に分けて収納することも可能である。
【００３３】
塗布器としてはブラシの先端から化粧料が供給されるものでもよい。軸に保持されたマスカラブラシの形状を有するものでもよい。図３に塗布器を例示する。
【００３４】
【実施例】
実施例１
第一液状化粧料の組成：
白色顔料      酸化チタン          １０％
ミツロウ                            ８％
ラノリン                            １％
カルナウバヤシ油                    ８％
シリコンワックス                    ４％
水                    残分（各成分を差し引いた残りの部分）
１，３−ブチレングリコール          ２％
アクリル系ポリマー                  ９％
メチルパラベン                      ０．２％
界面活性剤（ステアリン酸−トリエタノールアミン塩）      ３％
第二液状化粧料の組成：
有色顔料      酸化鉄              １０％
ミツロウ                            ９％
ラノリン                            １％
カルナウバヤシ油                    ９％
シリコンワックス                    ４％
水                    残分（各成分を差し引いた残りの部分）
１，３−ブチレングリコール          ２％
アクリル系ポリマー                １２％
メチルパラベン                      ０．２％
界面活性剤（ステアリン酸−トリエタノールアミン塩）      ３％
粒状パール                          ０．１％
上記の組成を有する第一液状化粧料を被験者の眉毛にマスカラブラシ型の塗布器で塗布した。ドライヤーにて眉毛を乾燥させ、次いで第二液状化粧料をその眉毛の上にマスカラブラシ型の塗布器で塗布した。その後、ドライヤーにて眉毛を乾燥させた。
【００３５】
２０人のパネラーにより官能評価を行ったところ、１８人が眉毛の見栄えが良いと判断した。
【００３６】
比較例１
実施例１の第二液状化粧料を直に被験者の眉毛にマスカラブラシ型の塗布器で塗布した。ドライヤーにて眉毛を乾燥させた。
【００３７】
２０人のパネラーにより官能評価を行ったところ、１７人が眉毛の見栄えが悪いと判断した。
【００３８】
【発明の効果】
本発明によれば、人の眉毛を茶色に着色した場合に、見栄えの良い眉毛が出来上がった。また、同様にして所望の色に睫毛などの毛髪を着色することができた。
【図面の簡単な説明】
【図１】本発明の化粧料で着色した毛髪の断面を示す概念図である。
【図２】本発明の化粧料内での分散状態の概要を示す図である。
【図３】本発明の塗布器の概要を示す図である。
【符号の説明】
１      毛髪
２      下地層
３      表面層
４      粒状パール
５      白色顔料または有色顔料
６      油脂
７      水
８      ポリマー成分
【図１】
2004315377.tif 000006
【図２】
2004315377.tif 000007
【図３】
2004315377.tif 000008